(57)【要約】【課題】筺体の上面に付着した水が前面に伝って落下するのを抑制できる壁固定式コントローラを提供する。【解決手段】筺体１１の前面側に操作部１２が設けられ、筺体１１の後面側が壁Ｗに取り付けられる壁固定式コントローラ１０において、筺体１１は、上面が左右方向の全ての位置で、前側端部が最も高くなるように設計されている。このため、筺体１１の上面に付着した水が、前側端部を越えて筺体１１の前面に流れ落ちるのを抑制することが可能である。【選択図】図１
2017085357.tif 000002
【特許請求の範囲】
【請求項１】
筺体の前面側に操作部が設けられ、該筺体の後面側が壁に取り付けられる壁固定式コントローラにおいて、
前記筺体の上面は、左右方向の全ての位置で、前側端部が最も高いことを特徴とする壁固定式コントローラ。
【請求項２】
請求項１記載の壁固定式コントローラにおいて、前記筺体の上面は、前側端部が左右方向全体に渡って上向きに突出していることを特徴とする壁固定式コントローラ。
【請求項３】
筺体の前面側に操作部が設けられ、該筺体の後面側が壁に取り付けられる壁固定式コントローラにおいて、
前記筺体の上面に、前側端部の左右方向全体に連続し、後方に向けて低くなる下り領域が設けられていることを特徴とする壁固定式コントローラ。
【請求項４】
請求項１〜３のいずれか１項に記載の壁固定式コントローラにおいて、前記筺体の上面は、全体が左下がりあるいは右下がりに傾斜していることを特徴とする壁固定式コントローラ。
【請求項５】
請求項１〜３のいずれか１項に記載の壁固定式コントローラにおいて、前記筺体の上面は、前後方向全体が左右方向中央から左及び右にそれぞれ下り傾斜していることを特徴とする壁固定式コントローラ。
【請求項６】
請求項１記載の壁固定式コントローラにおいて、前記筺体の上面は、全体が後方に下り傾斜して形成されていることを特徴とする壁固定式コントローラ。
【請求項７】
請求項１記載の壁固定式コントローラにおいて、前記筺体の上面は、左右方向全体が前側端部から前後方向中央に向かって下り傾斜して形成されていることを特徴とする壁固定式コントローラ。
【請求項８】
請求項７記載の壁固定式コントローラにおいて、前記筺体の左右の側面には、前後方向中央に上下方向全体に渡る縦溝がそれぞれ設けられていることを特徴とする壁固定式コントローラ。
【請求項９】
請求項７又は８記載の壁固定式コントローラにおいて、前記筺体の上面には、前後方向中央に左右方向全体に渡る溝が形成されていることを特徴とする壁固定式コントローラ。
【発明の詳細な説明】
【技術分野】
【０００１】
本発明は、機器の操作を行うための壁固定式コントローラに関する。
【背景技術】
【０００２】
従来、機器には、人によって操作されるコントローラが設けられており、その具体例が例えば特許文献１、２に開示されている。特許文献１、２に記載のコントローラは、筺体の後面が壁に固定され、筺体の前面に釦やタッチパネル等からなる操作部が設けられた壁固定式コントローラである。
壁固定式コントローラには、図７に示す壁固定式コントローラ１００のように、壁１０１に固定された筺体１０２の上面が前側に向かって下り傾斜しているものがある。
【先行技術文献】
【特許文献】
【０００３】
【特許文献１】特開２０００−３２４５６１号公報
【特許文献２】特開２００７−３０５２号公報
【発明の概要】
【発明が解決しようとする課題】
【０００４】
しかしながら、壁固定式コントローラには、浴室や台所等の所謂、水回りに設置されるものも存在し、筺体の上面が前下がりに設計されている壁固定式コントローラは、筺体の上面に付着した水の多くが筺体の前面を伝って落下することとなり、筺体の前面に水垢汚れが生じやすいという課題があった。また、筺体の前面に静電容量方式のタッチパネルやタッチスイッチを具備する壁固定式コントローラは、タッチパネルやタッチスイッチを伝っている水を、人による操作として誤検出することがある。
本発明は、かかる事情に鑑みてなされるもので、筺体の上面に付着した水が前面に伝って落下するのを抑制できる壁固定式コントローラを提供することを目的とする。
【課題を解決するための手段】
【０００５】
前記目的に沿う第１の発明に係る壁固定式コントローラは、筺体の前面側に操作部が設けられ、該筺体の後面側が壁に取り付けられる壁固定式コントローラにおいて、前記筺体の上面は、左右方向の全ての位置で、前側端部が最も高い。
【０００６】
第１の発明に係る壁固定式コントローラにおいて、前記筺体の上面は、前側端部が左右方向全体に渡って上向きに突出しているのが好ましい。
【０００７】
前記目的に沿う第２の発明に係る壁固定式コントローラは、筺体の前面側に操作部が設けられ、該筺体の後面側が壁に取り付けられる壁固定式コントローラにおいて、前記筺体の上面に、前側端部の左右方向全体に連続し、後方に向けて低くなる下り領域が設けられている。
【０００８】
第１、第２の発明に係る壁固定式コントローラにおいて、前記筺体の上面は、全体が左下がりあるいは右下がりに傾斜しているのが好ましい。
【０００９】
第１、第２の発明に係る壁固定式コントローラにおいて、前記筺体の上面は、前後方向全体が左右方向中央から左及び右にそれぞれ下り傾斜しているのが好ましい。
【００１０】
第１の発明に係る壁固定式コントローラにおいて、前記筺体の上面は、全体が後方に下り傾斜して形成されているのが好ましい。
【００１１】
第１の発明に係る壁固定式コントローラにおいて、前記筺体の上面は、左右方向全体が前側端部から前後方向中央に向かって下り傾斜して形成されているのが好ましい。
【００１２】
第１の発明に係る壁固定式コントローラにおいて、前記筺体の左右の側面には、前後方向中央に上下方向全体に渡る縦溝がそれぞれ設けられているのが好ましい。
【００１３】
第１の発明に係る壁固定式コントローラにおいて、前記筺体の上面には、前後方向中央に左右方向全体に渡る溝が形成されているのが好ましい。
【発明の効果】
【００１４】
本発明に係る壁固定式コントローラは、筺体の上面において、左右方向の全ての位置で、前側端部が高いので、筺体の上面に付着した水が前面に伝って流れ落ちるのを抑制可能である。
【図面の簡単な説明】
【００１５】
【図１】（Ａ）、（Ｂ）はそれぞれ、本発明の第１の実施の形態に係る壁固定式コントローラの斜視図及び側面図である。
【図２】本発明の第２の実施の形態に係る壁固定式コントローラの斜視図である。
【図３】本発明の第３の実施の形態に係る壁固定式コントローラの斜視図である。
【図４】（Ａ）、（Ｂ）はそれぞれ、本発明の第４の実施の形態に係る壁固定式コントローラの斜視図及び側面図である。
【図５】（Ａ）、（Ｂ）はそれぞれ、本発明の第５の実施の形態に係る壁固定式コントローラの側面図及び平面図である。
【図６】（Ａ）、（Ｂ）はそれぞれ、本発明の第６の実施の形態に係る壁固定式コントローラの側面図及び平面図である。
【図７】従来例に係る壁固定式コントローラの側面図である。
【発明を実施するための形態】
【００１６】
続いて、添付した図面を参照しつつ、本発明を具体化した実施の形態につき説明し、本発明の理解に供する。
図１（Ａ）、（Ｂ）に示すように、本発明の第１の実施の形態に係る壁固定式コントローラ１０は、筺体１１の前面側に操作部１２が設けられ、筺体１１の後面側が壁Ｗに取り付けられる。以下、詳細に説明する。
【００１７】
壁固定式コントローラ１０は、図１（Ａ）、（Ｂ）に示すように、筺体１１の前面側に複数の入力釦１３、１４からなる操作部１２及び表示部１５が設けられている。
壁固定式コントローラ１０が壁Ｗに固定された状態で、筺体１１の上面には、前側端部に左右方向全体に渡って形成された上向きに突出する突起１６が設けられている。以下、特に記載がない限り、壁固定式コントローラ１０は壁Ｗに固定されているものとして説明する。
【００１８】
このため、筺体１１の上面に付着した水は、突起１６によって筺体１１の前面側に流れ落ちるのが防止され、筺体１１の左右の側面を伝って流れ落ちることとなる。
なお、筺体１１の後面と壁Ｗの間に隙間がある場合、筺体１１の上面に付着した水の一部は、筺体１１の後面側を伝って流れ落ちる。
【００１９】
また、筺体１１の上面は、突起１６を除いた領域全体が水平であるが、これに限定されず、例えば、図２に示す壁固定式コントローラ２０のように、正面視して、筺体２１の上面全体が右下がりに傾斜していてもよい。
以下、壁固定式コントローラ１０と同様の構成については同じ符号を付して詳しい説明を省略して、本発明の第２の実施の形態に係る壁固定式コントローラ２０について説明する（以下の実施の形態においても同様）。
【００２０】
壁固定式コントローラ２０も、図２に示すように、筺体２１の前面側に操作部１２及び表示部１５が設けられている。そして、筺体２１の上面には、前側端部に左右方向全体に渡って形成された上向きに突出する突起２２が設けられているため、筺体２１の上面に付着した水は、筺体２１の前面に流れ落ちることなく、筺体２１の右の側面に送られ、右の側面を伝って流れ落ちることとなる。
なお、筺体の上面全体が左下がりに傾斜した壁固定式コントローラを採用してもよい。
【００２１】
図３に示すように、本発明の第３の実施の形態に係る壁固定式コントローラ３０においては、筺体３１の上面の前後方向全体が左右方向中央付近から左及び右にそれぞれ下り傾斜している。壁固定式コントローラ３０も、筺体３１の前面側に操作部１２及び表示部１５が設けられ、筺体３１の上面には、前側端部に左右方向全体に渡って形成された上向きに突出した突起３２が設けられている。
【００２２】
次に、筺体の上面の前側端部に左右方向全体に渡る突起が形成されていない図４（Ａ）、（Ｂ）及び図５（Ａ）、（Ｂ）にそれぞれ示す本発明の第４、第５の壁固定式コントローラ４０、５０について説明する。
壁固定式コントローラ４０は、図４（Ａ）、（Ｂ）に示すように、筺体４１の前面側に操作部１２及び表示部１５が設けられ、筺体４１の上面全体が後方に下り傾斜して形成されている。このため、筺体４１の上面に付着した水は、後方に向かって流れ、筺体４１の前面に流れ落ちるのが抑制されている。
【００２３】
壁固定式コントローラ５０は、図５（Ａ）、（Ｂ）に示すように、筺体５１の前面に操作部１２及び表示部１５が設けられ、筺体５１の上面の前後方向中央に左右方向全体に渡る溝５２が形成されている。筺体５１の上面は、左右方向全体が、前側端部から溝５２（即ち、前後方向中央）に向かって下り傾斜して形成され、筺体５１の上面に付着した水が筺体５１の前面側に流れ落ちるのを防止している。筺体５１の上面の溝５２より後側は、左右方向全体が前下がりに傾斜し、筺体５１の上面の溝５２より前側に付着した水及び筺体５１の上面の溝５２より後側に付着した水が、溝５２に向かって流れるように筺体１１の設計がなされている。なお、筺体５１は、前側端部が後側端部より高い。
【００２４】
筺体５１の左右の側面には、前後方向中央に上下方向全体に渡る縦溝５３がそれぞれ設けられ、各縦溝５３は、上端が溝５２に連結されている。このため、溝５２を左に進んで筺体５１の左の側面に到達した水は、左の側面に形成された縦溝５３を伝って流れ落ち、溝５２を右に進んで右の側面に到達した水は、右の側面に形成された縦溝５３を伝って流れ落ちる。
なお、溝５２及び縦溝５３のいずれか一方のみを設けるようにしてもよい。
【００２５】
壁固定式コントローラ１０、２０、３０、４０、５０は、全て、筺体の上面が左右方向の全ての位置で前側端部が最も高くなるように設計されている点で共通し、この点によって、筺体の上面に付着した水が筺体の前面を伝って流れ落ちるのを抑制している。
ここで、筺体の上面に付着した水が筺体の前面を伝って流れ落ちるのを抑制する観点においては、筺体の上面が左右方向の全ての位置で前側端部が最も高くなるように設計されている必要はない。
【００２６】
図６（Ａ）、（Ｂ）に示すように、本発明の第６の実施の形態に係る壁固定式コントローラ６０においては、筺体６１の上面の前側端部が筺体６１の上面の後側端部より低く形成せれている。筺体６１の上面には、前側端部の左右方向全体に連続し、後方に向けて低くなる下り領域６２が設けられている。壁固定式コントローラ６０においては、下り領域６２によって筺体の上面に付着した水が筺体の前面を伝って流れ落ちるのを抑制している。
【００２７】
なお、壁固定式コントローラ６０では、下り領域６２が一定の角度で後方に傾斜しているが、これに限定されず、前後方向の異なる位置で勾配の角度が異なっていてもよく、例えば、側面視して筺体の上面がＵ字状であってもよい。更に、筺体６１の上面は、前後方向の同位置で左右方向の異なる位置における高さが同じであるが、これに限定されず、筺体の上面全体が、左下がりあるいは右下がりに傾斜していてもよく、筺体の上面は、前後方向全体が左右方向中央から左及び右にそれぞれ下り傾斜していてもよい。
また、壁固定式コントローラ１０、２０、３０、４０、５０、６０は、給湯機用のコントローラであるが、これに限定されないのは言うまでもない。
【００２８】
以上、本発明の実施の形態を説明したが、本発明は、上記した形態に限定されるものでなく、要旨を逸脱しない条件の変更等は全て本発明の適用範囲である。
例えば、操作部は入力釦ではなく、タッチパネル方式や、タッチスイッチ方式であってもよい。
また、筺体は、上面、前面、側面及び壁に固定される後面が存在するものであればよく、例えば、正面視して四角形状や五角形状に限定されず、他の多角形状であってもよいし、円形状であってもよい。
【符号の説明】
【００２９】
１０：壁固定式コントローラ、１１：筺体、１２：操作部、１３、１４：入力釦、１５：表示部、１６：突起、２０：壁固定式コントローラ、２１：筺体、２２：突起、３０：壁固定式コントローラ、３１：筺体、３２：突起、４０：壁固定式コントローラ、４１：筺体、５０：壁固定式コントローラ、５１：筺体、５２：溝、５３：縦溝、６０：壁固定式コントローラ、６１：筺体、６２：下り領域、Ｗ：壁
【図１】
2017085357.tif 000003
【図２】
2017085357.tif 000004
【図３】
2017085357.tif 000005
【図４】
2017085357.tif 000006
【図５】
2017085357.tif 000007
【図６】
2017085357.tif 000008
【図７】
2017085357.tif 000009